(57)【要約】【課題】まぶたの周辺の肌面に熱刺激を与えることができる目元用美容機器を提供する。【解決手段】肌処理ヘッド１０２は、温熱生成手段１１３および冷熱生成手段１１４と、温熱生成手段１１３または冷熱生成手段１１４で生成された熱を肌面に伝導する第１熱供給体１３０と、冷熱生成手段１１４または温熱生成手段１１３で生成された熱を肌面に伝導する第２熱供給体１２０とを含む。第１熱供給体１３０および第２熱供給体１２０のそれぞれには、前後に貫通する窓１１８・１１９が形成されている。第１熱供給体１３０および第２熱供給体１２０を目元に装着して肌面に熱を伝導する状態において、第１熱供給体１３０および第２熱供給体１２０の窓１１８・１１９を介して前方が視認可能に構成してある。【選択図】図３
2014226278.tif 000002
【特許請求の範囲】
【請求項１】
肌処理ヘッドは、温熱生成手段および冷熱生成手段と、温熱生成手段または冷熱生成手段で生成された熱を肌面に伝導する第１熱供給体と、冷熱生成手段または温熱生成手段で生成された熱を肌面に伝導する第２熱供給体とを含み、
第１熱供給体および第２熱供給体のそれぞれには、前後に貫通する窓が形成されており、
第１熱供給体および第２熱供給体を目元に装着して肌面に熱を伝導する状態において、第１熱供給体および第２熱供給体の窓を介して前方が視認可能に構成してあることを特徴とする目元用美容機器。
【請求項２】
温熱生成手段および冷熱生成手段が１個の熱電変換素子で構成されており、
左右いずれか一方の目元に第１熱供給体が装着され、残る他方の目元に第２熱供給体が装着されるようになっていることを特徴とする請求項１に記載の目元用美容機器。
【請求項３】
熱電変換素子に供給される駆動電流の極性を、所定時間ごとに反転して、第１熱供給体および第２熱供給体による熱刺激態様を、温熱刺激態様と冷熱刺激態様とに交互に切換えるように構成してあることを特徴とする請求項１または２に記載の目元用美容機器。
【請求項４】
第１熱供給体および第２熱供給体はそれぞれ環状に形成されて、前後に貫通する窓が形成されており、
第２熱供給体は第１熱供給体の周囲を囲む状態で配置してあることを特徴とする請求項１、２または３に記載の目元用美容機器。
【発明の詳細な説明】
【技術分野】
【０００１】
本発明は、肌面に対して異なる温度の熱刺激を付与できる目元用美容機器に関する。
【背景技術】
【０００２】
肌面に冷熱刺激または温熱刺激を与える美容機器は、例えば特許文献１の冷温美顔器に開示されている。そこでは、本体部の一側面に、ペルチェ素子で冷却される冷熱部と、ヒーターで加熱される温熱部とが左右に隣接する状態で設けてある。冷熱部および温熱部の各面は、互いの面が所定の角度で交わるように配設されている。使用時には、冷熱部と温熱部とを肌面に交互に接触させて、冷熱刺激と温熱刺激を肌面に与える。
【０００３】
目元に冷熱刺激を与える美容機器は、例えば特許文献２の人体冷却器に開示されている。そこでは、左右一対の熱伝導手段が、ケース本体のインナーケースの外部に露出するように配設されており、熱伝導手段には、それぞれペルチェ素子が面接触状に配置されている。ケース本体には、頭部を抱持するバンドが着脱可能に設けられている。ペルチェ素子で発生した温熱は、放熱板に伝導し、ケース本体内に設けた冷却ファンにより、アウターケースに形成した開口部からケース本体の外部に排出される。使用時には、熱伝導手段がまぶたの肌面に密着するようにバンドでケース本体を頭部に装着して、ペルチェ素子を駆動することにより、冷熱刺激をまぶたの肌面に与える。
【０００４】
また、目元に温熱刺激を与える美容機器は、例えば特許文献３の目元ケア装置に開示されている。そこでは、目の周りを覆う一対の凹所を備えたゴーグル状のハウジングと、凹所の内奥に配置される水保持部と、ハウジングに埋設されて水保持部を加熱する加熱部などで美容機器を構成している。ハウジングの下縁寄りの左右には、下まぶたの周辺を加熱する第２の加熱部が設けてある。使用時には、スポンジ状の水保持部に水を含浸させ、バンドを後頭部に掛けてハウジングを顔面に密着させ、目元の周囲を凹所で覆う。この状態で、加熱部のヒーターに通電し、ヒーターの熱で水保持部の水を気化させ、凹所に充満する水蒸気で温熱刺激を目の周囲の皮膚や筋肉に与える。
【先行技術文献】
【特許文献】
【０００５】
【特許文献１】特開昭６３−２５７５５６号公報（第３頁左上欄、図７）
【特許文献２】特開平１１−１２８２６１号公報（段落００１８、００２１、００２３、図２、図６）
【特許文献３】特開２０１１−０４５３９４号公報（段落番号００３１〜００３３、図２）
【発明の概要】
【発明が解決しようとする課題】
【０００６】
特許文献１の美容機器では、冷熱部および温熱部の各面が、本体の一側面に隣接させてあるので、本体の傾きを変更するだけで、肌面にそれぞれの面を交互に接触させて、冷熱と温熱の刺激を交互に与えることができる。
【０００７】
特許文献２および３の美容機器では、目元部分の肌面に冷熱あるいは温熱のいずれか一方の刺激しか与えることができない点に改良の余地がある。
【０００８】
本発明の目的は、目元部分の肌面に冷熱による熱刺激と温熱による熱刺激を同時に付与することができるとともに、このような異なる温度の熱刺激を肌面に付与しながら前方を視認することができる目元用美容機器を提供することにある。
本発明の目的は、まぶたの周辺の肌面に、異なる温度の熱刺激を与えて目元部分に美容効果を発揮することができる目元用美容機器を提供することにある。
【課題を解決するための手段】
【０００９】
本発明に係る美容機器は、肌処理ヘッド１０２が、温熱生成手段１１３および冷熱生成手段１１４と、温熱生成手段１１３または冷熱生成手段１１４で生成された熱を肌面に伝導する第１熱供給体１３０と、冷熱生成手段１１４または温熱生成手段１１３で生成された熱を肌面に伝導する第２熱供給体１２０とを含んでいる。第１熱供給体１３０および第２熱供給体１２０のそれぞれには、前後に貫通する窓１１８・１１９が形成されている。  第１熱供給体１３０および第２熱供給体１２０を目元に装着して肌面に熱を伝導する状態において、第１熱供給体１３０および第２熱供給体１２０の窓１１８・１１９を介して前方が視認可能に構成してある。なお、本発明における温熱生成手段１１３および冷熱生成手段１１４における「温熱」および「冷熱」とは、人の感覚を基準にした温熱あるいは冷熱ではなく、異なる温度のうち温度が高い側を温熱とし、温度が低い側を冷熱とする相対的な概念である。
【００１０】
温熱生成手段１１３および冷熱生成手段１１４が１個の熱電変換素子１１５で構成されている。左右いずれか一方の目元に第１熱供給体１３０が装着され、残る他方の目元に第２熱供給体１２０が装着されるようになっている。
【００１１】
熱電変換素子１１５に供給される駆動電流の極性を、所定時間ごとに反転して、第１熱供給体１３０および第２熱供給体１２０による熱刺激態様を、温熱刺激態様と冷熱刺激態様とに交互に切換えるように構成してある。
【００１２】
第１熱供給体１３０および第２熱供給体１２０はそれぞれ環状に形成されて、前後に貫通する窓１１８・１１９が形成されている。第２熱供給体１２０は第１熱供給体１３０の周囲を囲む状態で配置してある。
【発明の効果】
【００１３】
肌処理ヘッド１０２に、温熱生成手段１１３および冷熱生成手段１１４と、それぞれの熱生成手段１１３・１１４で生成された熱を肌面に伝導する、第１熱供給体１３０と、第２熱供給体１２０とを設けているので、目元部分の肌面に冷熱による熱刺激と温熱による熱刺激を同時に付与することができる。つまり、目元部分の肌面に異なる温度の熱刺激を同時に付与することができる。また、第１熱供給体１３０および第２熱供給体１２０のそれぞれには、前後に貫通する窓１１８・１１９が形成されているので、窓１１８・１１９を介して前方が視認可能となり、テレビや本をみながら肌面に熱刺激を付与することができる。
【００１４】
温熱生成手段１１３および冷熱生成手段１１４が１個の熱電変換素子１１５で構成されているので、温熱生成手段１１３と冷熱生成手段１１４を個別に設ける場合に比べて、熱生成構造を簡素化して美容機器の製造に要するコストを削減できる。また、熱電変換素子１１５で生成される温熱と冷熱の双方を利用するので、熱電変換素子１１５で生成した温熱と冷熱を無駄なく有効に活用できる。
【００１５】
熱電変換素子１１５に供給される駆動電流の極性を、所定時間ごとに反転して、第１熱供給体１３０および第２熱供給体１２０による熱刺激態様を、温熱刺激態様と冷熱刺激態様とに交互に切換えるように構成してあるので、目元ヘッド１０２を目元部分に装着した状態のままで、まぶたの周辺の肌面に冷熱刺激と温熱刺激を交互に与えて、美容効果を発揮することができる。
【００１６】
第２熱供給体１２０を第１熱供給体１３０の周囲を囲む状態で配置してあるので、まぶたの周辺の広範囲の肌面に同時に異なる温度の熱刺激を付与することができる。
【図面の簡単な説明】
【００１７】
【図１】本発明の第１実施例に係る美容機器の肌処理ヘッドの横断平面図である。
【図２】本発明の第１実施例に係る美容機器の使用状態を示す正面図である。
【図３】本発明の第１実施例に係る美容機器の全体を示す概略横断平面図である。
【図４】本発明の第１実施例に係る肌処理ヘッドの概略正面図である。
【図５】本発明の第２実施例に係る美容機器の全体を示す概略横断平面図である。
【発明を実施するための形態】
【００１８】
（第１実施例）  図１から図５に、本発明に係る目元用美容機器の第１実施例を示す。なお、本発明における前後、左右、上下とは、図中に示す交差矢印と、各矢印の近傍に表記した前後、左右、上下の表示に従う。図２において美容機器は、両目元部を覆うように形成される本体部１０１と、本体部１０１に固定される目元ヘッド（肌処理ヘッド）１０２と、本体部１０１を頭部に固定する固定バンド１０３と、本体部１０１とは別体に構成されて、後述する温熱生成手段１１３および冷熱生成手段１１４に駆動電流を供給し制御するコントローラ１０４などで構成する。コントローラ１０４は、電源となる電池１０５と、温熱生成手段１１３および冷熱生成手段１１４に供給される駆動電流を生成し制御する制御基板（制御手段）１０６と、制御基板１０６の動作を切換えるスイッチ１０７などを備えている。
【００１９】
図２、図３に示すように、本体部１０１は、左右に長い長円状のハウジング１１０で構成されており、ハウジング１１０には、前後に貫通する左右一対のハウジング窓１１２が形成してある。本体部１は、ハウジング１１０の外側に連結した左右一対の固定バンド１０３・１０３で頭部に装着できるようになっており、後頭部側で一方の固定バンド１０３に縫着した雌側の面ファスナーに、他方の固定バンド１０３に縫着した雄側の面ファスナーを固定して頭部に装着することができる。
【００２０】
図３および図４に示すように、目元ヘッド１０２は、温熱生成手段１１３および冷熱生成手段１１４と、温熱生成手段１１３または冷熱生成手段１１４で生成された熱を肌面に伝導する内リング体（第１熱供給体）１３０と、冷熱生成手段１１４または温熱生成手段１１３で生成された熱を肌面に伝導する外リング体（第２熱供給体）１２０とを含んで構成してある。外リング体１２０および内リング体１３０は、ハウジング１１０の左右に１対ずつ設けてある。
【００２１】
図４に示すように、内リング体１３０および外リング体１２０は、正面視において卵型の環状に形成してあり、それぞれに前後に貫通する窓１１８・１１９が形成してある。内リング体１３０と外リング体１２０とは径の異なる相似形状に形成してあり、両リング体１３０・１２０は同心状に配置してある。両リング体１３０・１２０は、外リング体１２０の窓１１９の内方空間に、内リング体１３０が隙間を介して対向する状態で配置してある。これにより、外リング体１２０は内リング体１３０の周囲を囲む状態で配置されている。このように、両リング体１３０・１２０を同心状に配置すると、まぶたの周囲の肌面に対して同心状に異なる温度の熱刺激を付与することができる。
【００２２】
内リング体１３０と外リング体１２０との隙間には、両リング体１３０・１２０間の熱移動を抑制するプラスチック製の断熱枠体（スペーサー）１４６が配置してある。断熱枠体１４６は、両リング体１３０・１２０を保持する保持体を兼ねている。内リング体１３０の後端面には第１伝熱面１３４が設けてあり、外リング体１２０の後端面には第２伝熱面１２３が設けてある。両伝熱面１３４・１２３は、それぞれ卵型の楕円リング状に形成してあり、断熱枠体１４６の後端面と、第１および第２の伝熱面１３４・１２３は、面一状に形成してある。断熱枠体１４６の外面側及び内面側には、両リング体１３０・１２０を保持しているとき、両リング体１３０・１２０とリング体１３０・１２０との接触面積を減少するためのリブを形成することができる。これにより断熱枠体１４６と内リング体１３０の間、断熱枠体１４６と外リング体１２０との間に断熱空間を形成することができるため、両リング体１３０・１２０間の熱移動をさらに抑制でき、互いに熱干渉しあうことを確実に防止できる。
【００２３】
温熱生成手段１１３および冷熱生成手段１１４は１個の熱電変換素子１１５で構成してあり、その温熱を生成する温熱面１１６と、冷熱を生成する冷熱面１１７とが、それぞれ温熱生成手段１１３および冷熱生成手段１１４として機能する。目元ヘッド１０２には、２個の熱電変換素子１１５が設けてあり、各熱電変換素子１１５が上下に並ぶように配置してある。なお、図１および図３では、構成を理解しやすくするために、各熱電変換素子１１５が前後に位置をずらした状態で記載してある。熱電変換素子１１５は、各面１１６・１１７が左右に指向する状態で配置してあり、制御基板１０６で熱電変換素子１１５に順方向の駆動電流を供給したとき、一方の熱電変換素子１１５の右面側が温熱を生成する温熱面１１６の場合には、他方の熱電変換素子１１５の右面側が冷熱を生成する冷熱面１１７になるように、各熱電変換素子１１５の向きを逆に配置してある。本実施例では、上側の熱電変換素子１１５の右面および下側の熱電変換素子１１５の左面が冷熱面１１７となるように配置した。熱電変換素子１１５の接続リードは、ハウジング１１０に設けた入力端子１５７（図２参照）に接続してあり、入力端子１５７に給電リード１５８の先端のプラグ１５９を差し込むことで、コントローラ１０６から熱電変換素子１１５に駆動電流を供給することができる。
【００２４】
上記のように、温熱生成手段１１３および冷熱生成手段１１４を１個の熱電変換素子１１５で構成すると、温熱生成手段１１３と冷熱生成手段１１４を個別に設ける場合に比べて、熱生成構造を簡素化して美容機器の製造に要するコストを削減できる。また、熱電変換素子１１５で生成される温熱と冷熱の双方を利用するので、熱電変換素子１１５で生成した温熱と冷熱を無駄なく有効に活用できる。なお、熱電変換素子の代表例としてペルチェ素子がある。
【００２５】
外リング体１２０は、冷熱面１１７で生成された熱を伝導するＬ字状の第２伝熱体１２４を一体に備えている。第２伝熱体１２４の一端には、冷熱面１１７と接触して冷熱を受取る受熱面１２６が形成してあり、冷熱面１１７と受熱面１２６とは、シリコーンゴム製の伝熱シートを介して密着させて、熱の伝導効率を向上させている。このように、外リング体１２０は、第２伝熱体１２４を介して熱電変換素子１１５の冷熱面１１７と接続されているので、冷熱面１１７から伝導された冷熱で、外リング体１２０の全体を冷却できる。
【００２６】
同様に、内リング体１３０は、温熱面１１６で生成された熱を伝導するＬ字状の第１伝熱体１３７を一体に備えている。第１伝熱体１３７の一端には、温熱面１１６と接触して温熱を受取る受熱面１４２が形成してあり、温熱面１１６と受熱面１４２とは、シリコーンゴム製の伝熱シートを介して密着させて、熱の伝導効率を向上させている。このように、内リング体１３０は、第１伝熱体１３７を介して熱電変換素子１１５の温熱面１１６と接続されているので、温熱面１１６から伝導された温熱で、内リング体１３０の全体を加熱できる。
【００２７】
外リング体１３０、および内リング体１２０は、アルミニウム、真鍮、銅などの熱伝導率の高い金属材料を素材として形成することができる。本実施例では、アルミニウムを素材としたダイキャスト成形品に切削加工を施して、先の各部材１２０・１３０を形成した。熱伝導率の高いアルミニウムを素材として外リング体１３０、および内リング体１２０を形成するので、それぞれの全体に素早く熱を伝導して、より短い時間で所定の温度に冷却および加熱することができる。
【００２８】
目元ヘッド１０２に設けられる左右１対の外リング体１２０、内リング体１３０、および断熱枠体１４６は、同一部材で構成してある。目元ヘッド１０２は、断熱枠体１４６に設けた図示しない固定部がハウジング１１０に図示しない締結ビスで締結されて、ハウジング１１０と一体に固定される。目元ヘッド１０２をハウジング１１０に固定した状態では、ハウジング１１０に形成した左右一対のハウジング窓１１２と、各内リング体１３０の窓１１８とが対向している。これにより、目元ヘッド２を目元に装着した状態においては、窓１１８・１１９を介してハウジング窓１１２から前方を視認することができる。
【００２９】
ここで、目元用美容機器の使用方法を説明する。まず、外リング体１３０および内リング体１２０を目元に装着する。詳しくは、左右の第１伝熱面１３４および第２伝熱面１２４が、まぶたの周辺の肌面に接触するように本体部１０１を目元にあてがい、左右の固定バンド１０３・１０３を後頭部側で重ねて、面ファスナーで固定する。コントローラ１０６のスイッチ１０７を押下すると、制御基板１０６が各熱電変換素子１１５に順方向の駆動電流を供給し、各温熱面１１６および冷熱面１１７で温熱と冷熱が生成される。温熱面１１６で生成された温熱は、第１伝熱体１３７を介して内リング体１３０に伝導され、その第１伝熱面１３４で接触する肌面に温熱刺激を与える。また、冷熱面１１７で生成された冷熱は、第２伝熱体１２４を介して外リング体１２０に伝導され、その第２伝熱面１２３で接触する肌面に冷熱刺激を与える。これにより、まぶたの周辺の肌面に異なる温度の熱刺激を同時に与えて、美容効果を発揮することができる。このとき、窓１１８・１１９を介してハウジング窓１１２から前方を視認できるので、テレビや本をみながらまぶたの周辺の肌面に熱刺激を与えることができる。制御基板１０６が供給する駆動電流は、予め設定された時間が経過し、あるいは再度スイッチ１０７を押下することで停止し、これにより熱刺激の付与が終了する。なお、「肌面に異なる温度の熱刺激を同時に付与」とは、温熱と冷熱を同一タイミングで付与するという狭い概念ではなく、温熱生成手段１３と冷熱生成手段１４とを個別に制御して温熱と冷熱を交互に付与する構成をも含む概念である。
【００３０】
また、別の制御として、スイッチ１０７を押下し、各熱電変換素子１１５を駆動するとき、制御基板１０６で熱電変換素子１１５に供給する駆動電流の極性を、所定時間（例えば３分）ごとに反転して交互に供給することができる。このように、所定時間ごとに駆動電流の極性を反転させることで、目元ヘッド１０２を目元部分に装着した状態のままで、まぶたの周辺の肌面に冷熱刺激と温熱刺激を交互に与えて、美容効果を発揮することができる。そして同様に制御基板１０６が供給する駆動電流は、予め設定された時間が経過し、あるいは再度スイッチ１０７を押下することで停止し、これにより熱刺激の付与が終了する。つまり、この制御の場合、少なくとも一方のまぶたの周辺の肌面に対して異なる温度の熱刺激を同時に与えることができるばかりか、まぶた周辺で冷熱刺激と温熱刺激とを交互に切り替えることができるので、より一層の熱刺激効果がある。しかも本実施例の場合、それを左右両目において実現できる。
【００３１】
さらにまた、制御基板１０６による駆動電流の供給形態は、スイッチ７を押下するごとに順方向供給、逆方向供給、反転供給の３種の形態を順次切換え可能とすることができる。この場合には、ユーザーの好みに応じた熱刺激付与態様を選択して、まぶたの周辺の肌面に熱刺激を与えることができる。
【００３２】
（第２実施例）  図５に、本発明に係る目元用美容機器の第２実施例を示す。本実施例では、ハウジング１１０の左右に第１熱供給体１３０と第２熱供給体１２０を各１個ずつ設けた点と、熱電変換素子を１個とした点と、熱電変換素子１１５に供給される駆動電流の極性を、所定時間ごとに反転する点が第１実施例と異なる。他は第１実施例と同じであるので、同じ部材に同じ符号を付してその説明を省略する。
【００３３】
ハウジング１１０には、右目用リング体（第１熱供給体）１３０と、左目用リング体（第２熱供給体）１２０とが固定してある。熱電変換素子１１５は、温熱面１１６と冷熱面１１７とが左右に指向する状態で配置してあり、制御基板１０６で熱電変換素子１１５に順方向の駆動電流を供給したとき、熱電変換素子１１５の右面側が温熱を生成する温熱面１１６として機能させ、左面側が冷熱を生成する冷熱面１１７として機能させることができる。
【００３４】
左目用リング体１２０の第２伝熱体１２４の受熱面１２６は、シリコーンゴム製の伝熱シートを介して冷熱面１１７と接続してあり、冷熱面１１７から伝導された冷熱で、左目用リング体１２０の全体を冷却できる。また、右目用リング体１３０の第１伝熱体１３７の受熱面１４２は、シリコーンゴム製の伝熱シートを介して温熱面１１６と接続してあり、温熱面１１６から伝導された温熱で、右目用リング体１３０の全体を加熱できる。これにより、左のまぶたの周辺の肌面に冷熱刺激を与え、右のまぶたの周辺の肌面に温熱刺激を与えて、美容効果を発揮することができる。このとき、窓１１８・１１９を介してハウジング窓１１２から前方を視認できるので、テレビや本をみながら肌面に熱刺激を与えることができる。
【００３５】
制御基板１０６は、熱電変換素子１１５に供給する駆動電流の極性を所定時間（例えば３分）ごとに反転して交互に供給するようになっている。このように、所定時間ごとに駆動電流の極性を反転させることで、右目用リング体１３０と、左目用リング体１２０による熱刺激態様を、温熱刺激態様と冷熱刺激態様とに交互に切換えるようにすることができる。従って、美容機器の構成を簡素化しながら、まぶた周囲の肌面に異なる温度刺激を交互に与えて、美容効果を発揮することができる。また、窓１１８・１１９を介してハウジング窓１１２から前方を視認できるので、テレビや本をみながら肌面に熱刺激を与えることができる。
【００３６】
第１および第２実施例では、第１伝熱面１３４および第２伝熱面１２３を楕円リング状に形成したが、円形リング状、多角形リング状、あるいは直線と曲線を組み合わせた枠状などに適宜形成することができる。また、第１伝熱面１３４および第２伝熱面１２３は連続した面である必要はなく、断続的に形成してもよい。
【００３７】
上記の窓１１８・１１９を備えた目元用美容機器は、以下の形態で実施することができる。
肌処理ヘッド１０２は、温熱生成手段１１３および冷熱生成手段１１４と、温熱生成手段１１３または冷熱生成手段１１４で生成された熱を肌面に伝導する第１熱供給体１３０と、冷熱生成手段１１４または温熱生成手段１１３で生成された熱を肌面に伝導する第２熱供給体１２０とを含み、
第１熱供給体１３０および第２熱供給体１２０のそれぞれには、前後に貫通する窓１１８・１１９が形成されており、
第１熱供給体１３０および第２熱供給体１２０を目元に装着して肌面に熱を伝導する状態において、第１熱供給体１３０および第２熱供給体１２０の窓１１８・１１９を介して前方が視認可能に構成してある目元用美容機器。
【００３８】
第１熱供給体１３０および第２熱供給体１２０はそれぞれ環状に形成されて、前後に貫通する窓１１８・１１９が形成されており、
第２熱供給体１２０は第１熱供給体１３０の周囲を囲む状態で配置してある。換言すれば第１熱供給体１３０と第２熱供給体１２０とが同心状に配設してある。
【００３９】
温熱生成手段１１３および冷熱生成手段１１４が１個の熱電変換素子１１５で構成されており、
左右いずれか一方の目元に第１熱供給体１３０が装着され、残る他方の目元に第２熱供給体１２０が装着されるようになっており、
熱電変換素子１１５は、制御手段１０６で作動状態が制御されるようになっており、
熱電変換素子１１５に供給される駆動電流の極性を、制御手段１０６で所定時間ごとに反転して、第１熱供給体１３０および第２熱供給体１２０による熱刺激態様を、温熱刺激態様と冷熱刺激態様とに交互に切換えるように構成してある。
【００４０】
上記の各実施例では、冷温の熱刺激は温度差があればよく、例えば冷熱刺激側を３５℃に設定し、温熱刺激側を４５℃に設定してもよい。この場合には両熱刺激は共に肌面を加熱する。第１熱供給体１３０、第２熱供給体１２０、第１伝熱体１３７および第２伝熱体１２４は、アルミニウムで形成したが、真鍮、銅などで形成できる。この場合には、ダイキャスト品に切削加工を施したのち、その表面にメッキや蒸着などでアルミニウムの金属皮膜を形成すればよい。上記の各実施例では、温熱生成手段１１３および冷熱生成手段１１４を１個の熱電変換素子１１５で構成したが、温熱生成手段１１３をＰＴＣヒーターで構成し、冷熱生成手段１１４を熱電変換素子の冷熱面で構成することができる。こうすれば温熱生成手段１１３と冷熱生成手段１１４とを個別に電圧制御して個別に温度コントロールできる。さらに、第１熱供給体１３０用に温熱生成手段１１３であるＰＴＣヒーターと冷熱生成手段１１４である熱電変換素子の２個の熱生成手段を設け、第１熱供給体１３０に対して温冷を含む広い温度範囲の熱を供給可能に構成し、第２熱供給体１２０用に温熱生成手段１１３であるＰＴＣヒーターと冷熱生成手段１１４である熱電変換素子の２個の熱生成手段を設け、第２熱供給体１２０に対して温冷を含む広い温度範囲の熱を供給可能に構成して、第１熱供給体１３０、第２熱供給体１２０に対して、４つの熱生成手段を個別に電圧制御して幅広い温度範囲で細かな温度コントロールを可能にできる。
【符号の説明】
【００４１】
１０２  肌処理ヘッド（目元ヘッド）
１０６  制御手段（制御基板）
１１３  温熱生成手段
１１４  冷熱生成手段
１１５  熱電変換素子
１１６  温熱面
１１７  冷熱面
１２０  第２熱供給体
１２３  第２伝熱面
１２４  第２伝熱体
１３０  第１熱供給体
１３４  第１伝熱面
１３７  第１伝熱体
１４６  スペーサー
【図１】
2014226278.tif 000003
【図２】
2014226278.tif 000004
【図３】
2014226278.tif 000005
【図４】
2014226278.tif 000006
【図５】
2014226278.tif 000007